(57)【要約】【課題】分水手段に異物が詰った場合の保守作業を容易に行う。【解決手段】洗浄水を噴射する噴射口を有する複数個の洗浄手段２７と、洗浄ポンプ２６からの洗浄水が供給される洗浄手段２７を切換える分水手段３７とを備え、前記分水手段３７を洗浄槽２２の内側より分解可能としたものである。【選択図】  図１
2004267508.tif 000002
【特許請求の範囲】
【請求項１】
被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄槽の内側より分解可能とした食器洗い機。
【請求項２】
分水手段は、洗浄水の流れを切換える弁体を有し、洗浄槽には洗浄槽と分水手段とを仕切る着脱自在な蓋体を設け、前記蓋体を取り外した状態で、前記弁体を取り外し可能に構成した請求項１記載の食器洗い機。
【請求項３】
蓋体は、洗浄水が通過する経路の一部を兼ねた構成とした請求項２記載の食器洗い機。
【請求項４】
洗浄槽と蓋体との間を水封する弾性体を設けた請求項２または３記載の食器洗い機。
【請求項５】
被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄水の流れを切換える弁体を有し、前記弁体の一部は、洗浄槽の内側に露出させた食器洗い機。
【請求項６】
洗浄槽には洗浄槽と分水手段とを仕切る着脱自在な蓋体を設け、前記蓋体を取り外した状態で、弁体の一部は、洗浄槽の内側に露出する構成とした請求項５記載の食器洗い機。
【請求項７】
被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、ケーシングと、洗浄水の流れを切換える弁体とを備え、前記弁体は洗浄槽内ないし前記ケーシングの外側より目視可能な構成とした食器洗い機。
【発明の詳細な説明】
【０００１】
【発明の属する技術分野】
本発明は、食器に洗浄水を噴射して洗浄する食器洗い機に関するものである。
【０００２】
【従来の技術】
従来、この種の食器洗い機は、図１４および図１５に示すような構成であった（例えば、特許文献１参照）。以下、その構成について説明する。
【０００３】
図１４に示すように、洗浄水を加圧する洗浄ポンプ１と、洗浄水を噴射する噴射口を有する複数個の洗浄手段２と、洗浄ポンプ１からの洗浄水が供給される洗浄手段２を切換える分水手段３とを備え、分水手段３は、図１５のように、複数個の吐出口を有する円筒形のケーシング４の内側に、ほぼ同径の円筒形の弁体５を備え、弁体５を駆動用モータ６で回転させ、弁体５の吐出口７から吐出される洗浄水を洗浄手段２に順次供給し、噴射するようになっていた。
【０００４】
これにより、給水量（循環水量）を増やすことなく洗浄手段２の数を増やすことができ、被洗浄物に対してより多方向から洗浄水を噴射できることから、高効率な洗浄が行え、運転時間の短縮や、省エネ、節水が図れるようになっていた。
【０００５】
【特許文献１】
特開２００１−２１８７２１号公報
【０００６】
【発明が解決しようとする課題】
しかしながら、従来の食器洗い機の分水手段３は、洗浄槽８の裏側から組み立てる構成であり、逆に分解する際には、洗浄槽８の裏側から作業する必要があった。洗浄中は、残さい等の異物を伴った洗浄水が分水手段３を通過しており、可動部である弁体５の隙間に、異物が詰まる可能性がある。異物詰まり等により、分水手段３の切換えが不能になると、同一の洗浄手段２からのみ洗浄水が噴射されるだけで、洗浄槽８内全体を洗浄することができなくなり、洗浄性能は著しく低下する。このため、分水手段３が切換え不能となった場合には、分水手段３を分解して保守作業を行う必要があるが、従来の構成では、食器洗い機本体を分解し、本体を裏返して洗浄槽８の裏側から作業するなど、一般ユーザーには困難であり、容易に保守作業ができないという課題を有していた。
【０００７】
【課題を解決するための手段】
前記従来の課題を解決するために、本発明の食器洗い機は、分水手段は、洗浄槽の内側より分解可能としたものである。
【０００８】
これにより、食器洗い機本体を分解したり、裏返したりすることなく、分水手段は分解でき、万一、分水手段が異物詰まり等により切換え不能になった場合でも、容易に保守、清掃作業が行え、良好な洗浄性能を得ることができる。
【０００９】
【発明の実施の形態】
本発明の請求項１に記載の発明は、被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄槽の内側より分解可能としたものであり、食器洗い機本体を分解したり、裏返したりすることなく、分水手段は分解でき、万一、分水手段が異物詰まり等により切換え不能になった場合でも、容易に保守、清掃作業が行え、良好な洗浄性能を得ることができる。一般ユーザーでも、容易にこの作業を行うことができる。
【００１０】
請求項２に記載の発明は、請求項１に記載の発明において、分水手段は、洗浄水の流れを切換える弁体を有し、洗浄槽には洗浄槽と分水手段とを仕切る着脱自在な蓋体を設け、前記蓋体を取り外した状態で、前記弁体を取り外し可能に構成したものであり、蓋体により洗浄槽と分水手段は仕切られているため、洗浄中に洗浄槽から分水手段へ異物が入り込むなどの悪影響を防止できる。また、弁体を取り外せることから、確実に清掃作業を行うことができ、詰まりを確実に解消できる。
【００１１】
請求項３に記載の発明は、請求項２に記載の発明において、蓋体は、洗浄水が通過する経路の一部を兼ねた構成としたものであり、部品点数を減らし、分解や組立作業を簡素化することで、より保守作業が容易に行えるようになる。
【００１２】
請求項４に記載の発明は、請求項２または３に記載の発明において、洗浄槽と蓋体との間を水封する弾性体を設けたものであり、分水手段から洗浄槽内へ洗浄水が漏れたり、所定外の洗浄手段に洗浄水が漏れることを防止し、より効率の高い洗浄が行える。
【００１３】
請求項５に記載の発明は、被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、洗浄水の流れを切換える弁体を有し、前記弁体の一部は、洗浄槽の内側に露出させたものであり、万一、分水手段が異物詰まり等により切換え不能になった場合でも、洗浄槽内から直接弁体に触れて、強制的に移動させることで、その詰まりを解消でき、分水手段の分解作業なしで保守作業が行える。また、弁体の露出部分の位置により、弁体が詰まっているかどうかを判断することもでき、分水手段に保守作業が必要がどうかを容易に判断できる。
【００１４】
請求項６に記載の発明は、請求項５に記載の発明において、洗浄槽には洗浄槽と分水手段とを仕切る着脱自在な蓋体を設け、前記蓋体を取り外した状態で、弁体の一部は、洗浄槽の内側に露出する構成としたものであり、洗浄中に洗浄槽から分水手段へ異物が入り込むなどの悪影響を防止できる。
【００１５】
請求項７に記載の発明は、被洗浄物を収容する洗浄槽と、洗浄水を加圧する洗浄ポンプと、洗浄水を噴射する噴射口を有する複数個の洗浄手段と、前記洗浄ポンプからの洗浄水が供給される洗浄手段を切換える分水手段とを備え、前記分水手段は、ケーシングと、洗浄水の流れを切換える弁体とを備え、前記弁体は洗浄槽内ないし前記ケーシングの外側より目視可能な構成としたものであり、弁体の停止位置や異物の引っ掛かり状況を目視で確認でき、分水手段に保守作業が必要がどうかを容易に判断できる。
【００１６】
【実施例】
以下、本発明の実施例について、図面を参照しながら説明する。
【００１７】
（実施例１）
図１〜図５に示すように、食器洗い機本体２０には、扉２１で開閉可能な洗浄槽２２を設け、食器等の被洗浄物２３は食器かご２４にセットされ、洗浄槽２２内に収容している。給水弁２５は洗浄槽２２に洗浄水を供給するものであり、洗浄ポンプ２６は洗浄水を加圧して、複数の噴射孔を設けた洗浄ノズル（洗浄手段）２７に供給し、洗浄ノズル２７より洗浄水を噴射する。洗浄手段２７は、食器かご２４の下方から噴射する２７ａ、２７ｂ、右上方より噴射する２７ｃ、左側面より噴射する２７ｄの、４ヶ所に設置しており、噴流によって軸まわりに回転する回転ノズルとしている。
【００１８】
洗浄槽２２の底部には、洗浄ポンプ２６の吸い込み側へ連通した排水口２８を有し、この排水口２８には残さいを収集する残さいフィルタ２９と加熱用の発熱体３０を設け、洗浄槽２２の温度を検知する温度センサ３１を設けている。排水ポンプ３２は洗浄槽２２内の洗浄水を排出するものである。送風機３３は、送風経路３４を通して洗浄槽２２に空気を送り、その排気を排気口３５より排出するようにしている。
【００１９】
洗浄ポンプ２６の吐出経路３６に洗浄水を供給する洗浄手段２７を選択的に切換える分水手段３７を設置しており、この分水手段３７は、図３に示す構造をしている。洗浄ポンプ２６で加圧された洗浄水が流入する流入部３８を有するケーシング４０と、ケーシング４０内に移動可能に設けた弁体４１と、４個の洗浄手段２７に各々連通した４個の流出部３９を備えた経路分岐部材６０とで構成され、洗浄槽２２の底面には経路分岐部材６０を押さえる着脱自在な蓋体６１を設置している。そして、弁体４１には洗浄水を通過させる開口部４２を設けている。ここで、ケーシング４０は、洗浄槽２２の裏側に一体で構成している。
【００２０】
４個の流出部３９は各々洗浄経路４３で洗浄手段２７に連結されている。そして、開口部４２と連通する流出部３９を切換えるために、弁体４１を回転動作させる駆動モータ（電動駆動源）５４を有し、この駆動モータ５４のモータ軸５５は、隙間を持った状態で弁体４１と嵌合しており、弁体４１は着脱自在である。また、図４のように、蓋体６１を取り外すことで、経路分岐部材６０および弁体４１は洗浄槽２２内側より取り外すことができる。
【００２１】
上記構成において、まず、食器洗い機の基本動作について説明する。食器等の被洗浄物２３を食器かご２４にセットして洗浄槽２２に収納し、洗剤を投入した後、扉２１により食器洗浄機本体２０の開口部を閉塞し、運転を開始する。被洗浄物２３の汚れを落とす洗浄工程、付着した洗剤や残菜を流すすすぎ工程、そして被洗浄物２３に付着している水適を乾燥させる乾燥工程の順に実行する。
【００２２】
まず、給水弁２５を動作して所定量の洗浄水を洗浄槽２２に給水し、つづいて洗浄ポンプ２６により洗浄水を加圧し、洗浄ノズル２７から洗浄水を噴射する。この際、洗浄槽２２内に設けたシーズヒータ等の発熱体３０に通電しており、洗浄水を加温しながら洗浄工程は行われる。また、温度センサ３１は洗浄槽２２の温度を検知しており、所定温度以上になると発熱体３０への通電を停止する。
【００２３】
洗浄水は、残さいフィルタ２９を通過して洗浄ポンプ２６に吸い込まれ、洗浄ポンプ２６より洗浄槽２２の内底部に設けた洗浄手段（洗浄ノズル）２７に供給されて、この洗浄ノズル２７から噴射され、食器２３を洗浄した後、再び排水口２８に戻るという経路で循環する。この際、食器２３から脱落した残さい等は、洗浄水とともに残さいフィルタ２９に流入し、残さいフィルタ２９を通過できない大きさの残さいは、残さいフィルタ２９に捕集される。
【００２４】
所定時間の洗浄工程を終えると、汚れを含む洗浄水は排水ポンプ３２により機外に排出され、新たに洗浄水が供給される。洗浄ポンプ２６を運転し、洗浄ノズル２７から再び洗浄水を噴射して、洗剤や残菜等の付着した被洗浄物２３のすすぎを行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００２５】
続いて乾燥工程を行い、送風機３３を動作させることにより、送風経路３４を通って外気が洗浄槽２２内に送風され、排気口３５から排出される。この際、発熱体３０には通電されており、送風と温度の両方の効果によって被洗浄物２３に付着した水滴の蒸発は促進される。所定時間これらの乾燥工程を行い、運転を終了する。
【００２６】
次に、本実施例の特徴的な構成である分水手段３７の動作、作用について説明する。弁体４１とモータ軸５５は隙間を持って嵌合しており、弁体４１は回転動作以外に上下方向にも移動可能であり、流出部３９に対して進退自在に構成している。図５は、弁体４１を下方から見た図であり、洗浄ポンプ２６を運転した場合、流入部３８より流入した洗浄水の圧力によって弁体４１は上昇し、流出部３９（経路分岐部材６０）に押し付けられ、駆動モータ５４により弁体４１を回転させ、開口部４２と一致した流出部３９に洗浄水が供給され、この流出部３９と連通した洗浄手段２７から洗浄水が噴射される。
【００２７】
つまり、弁体４１を回転させることで、洗浄水を供給する流出部３９が順次切換えられ、洗浄水が噴射する洗浄手段２７は２７ａ、２７ｂ、２７ｃ、２７ｄの順で切換えることができる。この際、駆動モータ５４は、連続的に駆動する方法と、流出部３９の位置で開口部４２が停止するように断続的に駆動する方法とがあるが、いずれかを限定するものではない。また、後者の場合には、弁体４１を駆動する際には、洗浄ポンプ２６を停止すれば、弁体４１が流出部から離れるため、小さい力で弁体４１を駆動できる利点がある。
【００２８】
なお、前者の場合は、弁体４１の位置を検出するセンサ等が不要であり、構成は簡単となり、後者の場合は、位置センサ等を必要とするが、切換効率がよく、状況に応じて選択的に洗浄手段２７の位置や噴射時間を設定することもできる。
【００２９】
これらの作用によって、同時に４ヶ所の洗浄手段２７に洗浄水を供給するのではなく、順次、洗浄水を送り込むため、給水量を増加させることなく、任意の被洗浄物２３に対して複数方向から洗浄水を噴射させることができる。したがって、短時間で食器等に付着した汚染物を洗浄することができ、高効率洗浄を実現することができる。
【００３０】
また、食器等に付着した洗剤や残さいを短時間ですすぐことができるため、すすぎ回数を削減することが可能である。例えば、すすぎ工程を４回行っていたものを３回に減少させることが可能である。一回の給水量を増加させることなく、しかも、すすぎ回数を削減できることから、ヒータを用いた洗浄水の加熱時間も短縮することができ、省エネ、省水量をも実現することができる。
【００３１】
また、給水量を増大させることなく洗浄ノズル２７の数を増やすことができるため、食器等の被洗浄物２３に対してより多方向から洗浄水を噴射させる洗浄方式とすることができる。よって、使用者は被洗浄物２３の食器かご２４へのセット位置や、縦置き、伏せ置き等のセット方法を選ぶことなく自由にセットできるため、よりセット性に優れた食器洗い機とすることができる。さらには、角鉢、深い小鉢、角皿等、単一方向からの噴射では洗浄水が十分行き届かなかった食器に対しても、十分な洗浄性能を発揮することができる。
【００３２】
図３のように、弁体４１は流出部３９に対して進退自在に構成しており、異物を挟み込んだ際には、弁体４１は流出部３９から離れるため、異物４９の噛み込みを回避して、回転駆動させることができるようにしているが、絶対に噛み込まない保証はない。万一、異物詰まり等を起こした場合には、清掃等の保守作業が必要となるが、図４のように、食器かご２４を外して、洗浄槽２２底面から蓋体を取り外すと、経路分岐部材６０おより弁体４１を取が出すことができ、異物の除去や表面の洗浄を行うことができる。製品本体を分解したり、裏返したりする必要がないため、ユーザーでも簡単に保守作業をすることができ、常に良好な洗浄性能を得ることができる。従来から行っている、回転ノズル２７を取り外して、異物詰まりを洗浄する場合と同様の感覚で行えるため、ユーザーに違和感を与えることはない。
【００３３】
また、洗浄槽２２と分水手段３７は、蓋体６１により仕切られているため、洗浄中に洗浄槽２２から分水手段３７へ異物が入り込むなどの悪影響を防止できる。
【００３４】
なお、蓋体６１の着脱方法は、蓋体６１自体にネジを設け、回転させる構成としたが、ビス止め、爪による嵌め込み方式など、十分な強度があれば、いかなる構成であっても問題ない。また、この仕切りは、完全なものである必要はなく、隙間を設けることで、蓋体６１に作用する水圧を小さくして、その取り付け構成の簡素化や小型化を図ることができる。
【００３５】
また、経路分岐部材６０および蓋体６１を透明性のある樹脂材料で構成した場合には、弁体４１に異物が詰まっているかどうかを、洗浄槽２２の内部から目視で確認でき、保守作業の必要性をすぐに判断でき、常に正常な状態で洗浄運転ができ、良好な洗浄性能を得ることができる。また、ケーシング４０を透明材料で形成し、本体の外壁に観察窓を設け、製品の外側から確認可能に構成することでも、製品を分解することなく、分水手段３７の異物詰まりを確認でき、適切な対応を取ることができる。
【００３６】
なお、本実施例において、洗浄手段２７は４ヶ所とし、すべて回転可能な回転ノズルとしたが、４ヶ所に限定するものではなく、食器かご２４の食器配置等に応じて、その個数を設定すればよい。２ヶ所以上であれば効果を発揮するが、全ての食器に対して２方向以上からの噴射が得られることが洗浄性能を向上する上で重要であることから、３ヶ所以上であることが望ましい。逆に、分岐数が多すぎると、１個の洗浄手段２７から噴射される総水量が小さくなり洗浄効果が薄れることから１０ヶ所以下、好ましくは６ヶ所以下であることが望ましい。
【００３７】
また、回転ノズル２７を用いると洗浄性能は向上するが、洗浄手段２７の占める空間が増大することから、本体の外郭寸法が同一の場合、食器を収容する部分の容積が減少する課題もあるため、背面に回転しない固定式の洗浄手段２７とすることも有効であり、回転ノズルや固定ノズル等の方式や、その噴射口の個数に限定するものではない。また、設置位置も背面や前面などでもよい。また、噴射パターンも、各洗浄手段から順次噴射する他に、常に２個の洗浄手段から噴射したり、洗浄手段毎に噴射回数を違えるなど、食器かごの食器配置等に応じた最適な噴射を行えばよい。
【００３８】
なお、本発明は洗浄水の切換方式に関するものであり、食器洗い機本体２０の形状や大きさ、扉２１の開閉方式、食器の配置、個々の部品の配置等を限定するものではない。また、実施例では、乾燥機能を有する食器洗い乾燥機の例を示したが、乾燥機能を伴わない食器洗い機においても同様の効果が得られる。
【００３９】
（実施例２）
図６のように、蓋体６１と経路切換え部材６０を一体で構成し、蓋体６１が、洗浄水が通過する経路４３の一部を兼ねたものである。また、蓋体６１と洗浄槽２２の間には、シール性のある弾性体６２、６３を２ヵ所に設置している。この他の基本構成は実施例１と同様である。
【００４０】
経路切換え部材と一体で構成した蓋体６１は、固定ネジ６４を外すことにより、容易に洗浄槽２２から取り外すことができ、実施例１と同様の作用、効果が得られる。
【００４１】
また、蓋体６１と経路切換え部材６０を一体で構成することにより、分岐した洗浄水が、本来洗浄水の流れない他の洗浄経路４３に漏れる場所が少なくなり、漏れ損失が少なく、効率のよい洗浄が行え、洗浄性能が向上する。また、部品点数が減するため、分解や組立作業を簡素化でき、より保守作業が容易に行えるとともに、誤挿入による破損等を防止できる。
【００４２】
また、蓋体６１と洗浄槽２２の間に、シール性のある弾性体６２、６３を設置しており、洗浄水の漏れを確実に防止でき、洗浄性能が向上する。弾性体には、Ｏリングや専用形状に成形したゴム材料などを利用する。弾性体６２によって、分水手段３７から洗浄槽２２への漏れを防止し、弾性体６３によって他の洗浄経路４３への洗浄水の漏れを防止する。また、４箇所存在する洗浄経路４３同士の仕切り部６５の位置にも弾性体を配置することで、さらに効率のよい洗浄が行える。
【００４３】
なお、蓋体６１の形状や、取り付け方法、あるいは弾性体６２、６３の構成などを限定するものではなく、同様の作用が得られる構成であればよい。
【００４４】
また、図６では、実施例１と同様に、分水手段３７には、弁体４１の駆動に駆動モータ５４を用いる例を示したが、専用の駆動手段を用いずに、図７のように、洗浄ポンプ２６の運転、停止の動作を利用して、弁体４１を切換える構成であっても、同様の効果が得られる。この分水手段３７は、図３に示す構造をしており、弁体４１の上昇時に弁体４１を所定角度だけ回転させる一組の上部係合部４４と、弁体４１の降下時に弁体４１を所定角度だけ回転させる一組の下部係合部４５とを、ケーシング４０側と弁体４１側に各々設置している。
【００４５】
洗浄ポンプ２６を運転した場合、流入部３８より流入した洗浄水の流れ（圧力）によって弁体４１は、上部係合部４４の傾斜に従って、略直動および回転を伴った動作で上昇し、図７に示すように、所定の流出部３９が開口するような位置で固定され、この流出部３９と連通した洗浄手段２７から洗浄水が噴射される。
【００４６】
続いて、洗浄ポンプ２６を一旦停止すると、弁体４１を下方から押し上げていた圧力が作用しなくなることから、弁体４１はその自重で降下するが、この際、下部係合部４５の傾斜に従って回転しながら降下し、図８に示すように所定位置で停止する。再び、洗浄ポンプ２６を運転すると、上部係合部４４の次の傾斜に係合され、弁体４１は回転しながら上昇し、次の所定位置で停止し、次の洗浄手段２７から洗浄水を噴射する。
【００４７】
円形の上部係合部４４および下部係合部４５を平面に引き伸ばしてその関係を示すと、図９のようになっており、洗浄ポンプ２６の運転と停止を繰り返すことで、上下方向の略直動と回転運動を組み合わせた動作をしながら弁体４１の位置は順次切換わる。本実施例では、４ヶ所の流出部３９に切換えるため、一回の停止と運転で弁体４１が９０度回転する構成であるが、任意数の分割が可能である。
【００４８】
このように、専用の駆動モータを用いずに、洗浄ポンプ２６の運転停止など洗浄水の流れの変化を利用して、弁体４１を順次切換えることが可能であり、分水手段３７を小型かつ低価格で構成でき、実施例１同様の効率的な洗浄が行える。また、モータ駆動の場合には、モータ軸５５はケーシング４０を貫通して設置する必要があり、稠密なシール手段を設ける必要があり構造が複雑になると同時に、このシールが不良の場合には、製品外部に水漏れを起こす可能性を有していたが、本構成では、ケーシング４０を貫通して動作する部品は存在せず、外部に水漏れを起こす恐れはない。
【００４９】
なお、弁体４１を駆動する力は、洗浄水の水圧や、弁体４１の自重、あるいはバネの付勢力などであり、駆動モータ５４の場合よりも小さくなる可能性はあるが、分水手段３７は洗浄槽２２内から分解可能とし、容易に保守作業を行えることから、万一の異物詰りなど分水切換え不良に対応できる。
【００５０】
（実施例３）
図１０のように、弁体４１の一部（弁体軸部６６）を洗浄槽２２内に突出して設けている。
【００５１】
これにより、弁体４１の一部である弁体軸部６６は洗浄槽２２内より目視可能であり、かつ、手で直接触ることができる。万一、分水手段３７が異物詰まり等により切換え不能になった場合でも、洗浄槽２２内から直接弁体４１を強制的に回転移動させることで、その詰まりを解消でき、分水手段３７の分解作業なしで保守作業が行える。
【００５２】
また、図１１、図１２のように、弁体４１が上昇した状態では弁体軸部６６が洗浄槽２２底面より突出し、弁体４１が降下した状態では突出しないように設定すれば、洗浄ポンプ２６を停止した状態で、弁体４１が図１１のように洗浄槽２２内に突出していれば、弁体４１が詰まっているなど異常状態であり、洗浄槽２２の底面を一目見るだけで、分水手段３７の状態を判断できる。また、異常な場合には、弁体４１を手で駆動させることで容易に異物詰まりを解消できる。
【００５３】
なお、洗浄槽２２に露出するとは、弁体４１を直接手で触れることであるが、ドライバーや付属工具など簡易な道具で駆動できる構成であってもかまわない。また、分水手段３７が異常状態かどうかを判定する目的に対しては、洗浄槽２２内から目視で確認できればよい。
【００５４】
（実施例４）
図１３のように、洗浄槽２２の底面に蓋体６１を設け、この蓋体６１を取り外すと、弁体４１の一部（弁体軸部６６）が洗浄槽２２内に露出するように構成している。
【００５５】
蓋体６１は、爪部６７によりで着脱自在に構成しており、ワンタッチで着脱が可能である。そして、この蓋体６１を取り外せば、弁体４１の一部である弁体軸部６６が露出し、実施例３と同様の効果が得られる。
【００５６】
また、食器洗い機の運転時には、蓋体６１は閉じられていることから、洗浄中に洗浄槽２２から分水手段３７へ異物が入り込むなどの悪影響を防止できる。
【００５７】
なお、蓋体６１は洗浄槽２２の間に弾性体を入れて、完全にシールする構成だと、分水手段３７から洗浄槽２２への漏れを防止し、効率的な洗浄が行える。また、逆に、図１３のように蓋体６１の一部に穴を設けるなど、圧力が逃げる構成とすれば、蓋体６１に作用する圧力を小さくできることから、爪部６７など固定部の構成や強度を簡素化でき、小型に構成できる。
【００５８】
なお、爪部６７による固定方式以外に、蓋体自体にネジを切ってネジ止めしたり、ビスでネジ締めするなど、他の固定方法であっても同様の効果が得られる。
【００５９】
【発明の効果】
以上のように本発明によれば、万一、分水手段が異物詰まり等により切換え不能になった場合でも、食器洗い機本体を分解したり、裏返したりすることなく、分水手段を分解することができ、容易に保守、清掃作業が行え、良好な洗浄性能を維持することができる。
【図面の簡単な説明】
【図１】本発明の実施例１の食器洗い機の要部断面図
【図２】同食器洗い機の要部断面図
【図３】同食器洗い機の分水手段の洗浄ポンプ運転状態での断面図
【図４】同食器洗い機の洗浄槽底面の分解斜視図
【図５】同食器洗い機の分水手段の弁体の下面図
【図６】本発明の実施例２の食器洗い機の分水手段の洗浄ポンプ運転状態での断面図
【図７】同食器洗い機の他の分水手段の洗浄ポンプ運転状態での断面図
【図８】同食器洗い機の他の分水手段の洗浄ポンプ停止状態での断面図
【図９】同食器洗い機の分水手段の係合部の詳細図
【図１０】本発明の実施例３の食器洗い機の分水手段の洗浄ポンプ運転状態での断面図
【図１１】同食器洗い機の他の分水手段の洗浄ポンプ運転状態での断面図
【図１２】同食器洗い機の他の分水手段の洗浄ポンプ停止状態での断面図
【図１３】本発明の実施例４の食器洗い機の分水手段の洗浄ポンプ運転状態での断面図
【図１４】従来の食器洗い機の要部断面図
【図１５】同食器洗い機の分水手段の断面図
【符号の説明】
２２  洗浄槽
２６  洗浄ポンプ
２７  洗浄ノズル（洗浄手段）
３７  分水手段
４１  弁体
６１  蓋体
６２、６３  弾性体
【図１】
2004267508.tif 000003
【図２】
2004267508.tif 000004
【図３】
2004267508.tif 000005
【図４】
2004267508.tif 000006
【図５】
2004267508.tif 000007
【図６】
2004267508.tif 000008
【図７】
2004267508.tif 000009
【図８】
2004267508.tif 000010
【図９】
2004267508.tif 000011
【図１０】
2004267508.tif 000012
【図１１】
2004267508.tif 000013
【図１２】
2004267508.tif 000014
【図１３】
2004267508.tif 000015
【図１４】
2004267508.tif 000016
【図１５】
2004267508.tif 000017